(57)【要約】【課題】圧縮機以外の熱源を用いることなく、デフロスト等に必要な熱量を獲得することができる空気調和装置の提供。【解決手段】空気調和装置１００，２００，３００，４００は、圧縮機３と、室外熱交換器４と、室内熱交換器５と、電磁膨張弁ＥＶ１と、蓄熱材９と、蓄熱熱交換器８と、蓄熱配管９０，１２１とを備えている。圧縮機３は冷媒を圧縮する。室外熱交換器４は少なくとも冷媒の蒸発器として機能し、室内熱交換器５は少なくとも冷媒の凝縮器として機能する。電磁膨張弁ＥＶ１は冷媒を減圧する。蓄熱材９は圧縮機３の近傍に配置されている。蓄熱熱交換器８は蓄熱材９と冷媒とを熱交換させる熱交換器として機能する。蓄熱配管９０，１２１は、圧縮機３の吐出側から蓄熱材９の近傍まで延びている。【選択図】図１
2008241127.tif 000002
【特許請求の範囲】
【請求項１】
冷媒を圧縮する圧縮機（３）と、
少なくとも冷媒の蒸発器として機能する熱源側熱交換器（４）と、
少なくとも冷媒の凝縮器として機能する利用側熱交換器（５）と、
冷媒を減圧する膨張機構（ＥＶ１）と、
前記圧縮機（３）の近傍に配置される蓄熱材（９）と、
前記蓄熱材（９）と冷媒とを熱交換させる熱交換器として機能する蓄熱熱交換器（８）と、
前記圧縮機（３）の吐出側から前記蓄熱材（9）の近傍まで延びている蓄熱配管（９０，１２１）と、
を備える空気調和装置（１００，２００，３００，４００）。
【請求項２】
凝縮器として機能する前記利用側熱交換器（５）から流出した冷媒を前記蓄熱熱交換器（８）に導く第１配管（３０）と、
前記蓄熱熱交換器（８）から流出した冷媒を前記熱源側熱交換器（４）に導く第２配管（３１）と、
を更に備える、請求項１に記載の空気調和装置（１００，２００，３００，４００）。
【請求項３】
前記第１配管（３０）は、通過する冷媒の流量を調節する第１配管流量調節機構（ＳＶ１）を有する、
請求項２に記載の空気調和装置（１００，２００，３００）。
【請求項４】
前記蓄熱配管（９０）は、通過する冷媒の流量を調節する蓄熱配管流量調節機構（ＳＶ３）を有する、
請求項１から３のいずれかに記載の空気調和装置（１００，２００，３００）。
【請求項５】
前記蓄熱配管（９０）は、前記圧縮機（３）から吐出される冷媒を前記蓄熱熱交換器（８）に導く、
請求項１から４のいずれかに記載の空気調和装置（１００，２００，３００）。
【請求項６】
前記蓄熱配管（９０）は、前記圧縮機（３）から吐出される冷媒を前記蓄熱熱交換器（８）に導き、
前記圧縮機（３）から吐出される冷媒が、前記利用側熱交換器（５）、前記膨張機構（ＥＶ１）及び前記熱源側熱交換器（４）を通過して前記圧縮機（３）に吸入される暖房運転と、前記圧縮機（３）から吐出される冷媒の一部が、前記蓄熱熱交換器（８）及び前記熱源側熱交換器（４）を通過して前記圧縮機（３）に吸入される蓄熱運転と、前記圧縮機（３）から吐出される冷媒が、前記利用側熱交換器（５）、前記蓄熱熱交換器（８）及び前記熱源側熱交換器（４）を通過して前記圧縮機（３）に吸入されるデフロスト運転とを行う制御部（７０ａ，７０ｂ，７０ｃ）を更に備える、請求項２または３に記載の空気調和装置（１００）。
【請求項７】
前記蓄熱熱交換器（８）から前記利用側熱交換器（５）に冷媒を導く第３配管（３３）を更に備える、請求項１から５のいずれかに記載の空気調和装置（２００）。
【請求項８】
前記第２配管は、通過する冷媒の流量を調節する第２配管流量調節機構（ＳＶ２）を有する、
請求項７に記載の空気調和装置（２００）。
【請求項９】
前記蓄熱熱交換器（８）から流出した冷媒を前記圧縮機（３）の吸入側に導く第４配管（３４）を更に備え、
前記第４配管（３４）は減圧機構（３４ａ）を有する、
請求項１から５のいずれかに記載の空気調和装置（３００）。
【請求項１０】
前記蓄熱配管（１２１）は、前記蓄熱材（９）の近傍から前記利用側熱交換器（５）まで更に延びており、前記圧縮機（３）から吐出される冷媒を前記利用側熱交換器（５）に導く、
請求項１から３のいずれかに記載の空気調和装置（４００）。
【発明の詳細な説明】
【技術分野】
【０００１】
本発明は、蓄熱材が圧縮機の近傍に配置される空気調和装置、特に、圧縮機から吐出される冷媒を蓄熱材の蓄熱に利用する空気調和装置に関する。
【背景技術】
【０００２】
冬季など、気温が低くなると、空気調和装置に暖房運転をさせた場合、熱源側熱交換器に霜が堆積し、熱源側熱交換器の熱交換率が悪化する現象が知られている。このため、空気調和装置は、熱源側熱交換器に堆積した霜を除去するためにデフロスト運転を行う場合がある。
【０００３】
そして、特許文献１では、圧縮機から周囲へ放散される放散熱を利用して熱源側熱交換器のデフロストを行う空気調和装置が提案されている。この空気調和装置は、近傍に蓄熱材が配置されており、外周面に蓄熱熱交換器が巻装されている圧縮機を備えている。このため、この空気調和装置では、圧縮機から周囲へ放散される放散熱が蓄熱材に蓄えられ、この蓄熱が蓄熱熱交換器内を流れる冷媒に付与される。そして、この付与された熱によって、熱源側熱交換器のデフロストが行われる。しかし、気温が低い場合、デフロストに必要な熱量を蓄熱材に蓄えることができないおそれがある。
【０００４】
そこで、蓄熱材の近傍にヒーターを設置し、気温が低い場合に、このヒーターを起動させることで蓄熱材を加熱する。このため、圧縮機から放散される放散熱とともにヒーターから生じる熱が蓄熱材に蓄えられる。これによって、デフロストを行うために必要な熱量を獲得している。
【特許文献１】特開平１−３０６７８５号公報
【発明の開示】
【発明が解決しようとする課題】
【０００５】
しかしながら、特許文献１の空気調和装置では、熱源側熱交換器のデフロストに必要な熱量を獲得するために、圧縮機以外にヒーターを熱源として用いている。
【０００６】
本発明の課題は、蓄熱材が近傍に配置されている圧縮機を備える空気調和装置において、圧縮機以外の熱源を用いることなく、デフロスト等に必要な熱量を獲得することができる空気調和装置を提供することにある。
【課題を解決するための手段】
【０００７】
第１発明に係る空気調和装置は、圧縮機と、熱源側熱交換器と、利用側熱交換器と、膨張機構と、蓄熱材と、蓄熱熱交換器と、蓄熱配管とを備えている。圧縮機は冷媒を圧縮する。熱源側熱交換器は少なくとも冷媒の蒸発器として機能し、利用側熱交換器は少なくとも冷媒の凝縮器として機能する。膨張機構は冷媒を減圧する。蓄熱材は圧縮機の近傍に配置されている。蓄熱熱交換器は蓄熱材と冷媒とを熱交換させる熱交換器として機能する。蓄熱配管は、圧縮機の吐出側から蓄熱材の近傍まで延びている。
【０００８】
従来、圧縮機から周囲への放散熱を蓄熱材に蓄熱し、この熱量を熱源側熱交換器のデフロスト等に利用する空気調和装置が提案されている。しかし、この空気調和装置には、気温が低い場合、蓄熱材への蓄熱が十分に行われないおそれがある。そこで、圧縮機以外の熱源を利用することで、デフロスト等に必要な熱量を獲得している。
【０００９】
これに対して、第１発明に係る空気調和装置では、圧縮機の近傍に蓄熱材が配置されており、圧縮機から吐出される冷媒が蓄熱材と熱交換可能な位置に導かれるように蓄熱配管が備えられている。このため、圧縮機から吐出される冷媒と蓄熱材との間で熱交換が行われることによって、蓄熱材には、圧縮機から周囲へ放散される放散熱が蓄えられるとともに、圧縮機から吐出される冷媒の熱が蓄えられる。これによって、圧縮機以外の熱源を用いることなく、デフロスト等に必要な熱量を獲得することができる。
【００１０】
なお、本発明の構成に加えて更にヒーター等の別熱源を用いて蓄熱材へ熱を供給することも考えられるが、その場合も従来と比較して別熱源の容量を小さくできるメリットが生じる。
【００１１】
第２発明に係る空気調和装置は、第１発明の空気調和装置であって、第１配管と第２配管とを更に備えている。第１配管は、利用側熱交換器が凝縮器として機能する場合、熱源側熱交換器から流出した冷媒を蓄熱熱交換器に導く。第２配管は、蓄熱熱交換器から流出した冷媒を熱源側熱交換器に導く。
【００１２】
第２発明に係る空気調和装置では、利用側熱交換器が凝縮器として機能する場合、利用側熱交換器から流出した冷媒が、第１配管を介して蓄熱熱交換器内を通過し、蓄熱熱交換器から流出した冷媒が第２配管を介して熱源側熱交換器に導かれる。このため、利用側熱交換器から流出した冷媒は、蓄熱熱交換器において蓄熱材と熱交換を行った後、熱源側熱交換器に導かれる。
【００１３】
これによって、熱源側熱交換器のデフロストを行うことができる。
【００１４】
第３発明に係る空気調和装置は、第２発明の空気調和装置であって、第１配管は、第１配管流量調節機構を有している。第１配管流量調節機構は、第１配管を流れる冷媒の流量を調節する。
【００１５】
第３発明に係る空気調和装置では、第１配管は、第１配管流量調節機構を有している。第１配管には、利用側熱交換器から流出した冷媒が流れており、この冷媒は、第１配管流量調節機構によって第１配管を流れる流量が調節される。このため、蓄熱配管を流れる冷媒の流量が調節され、蓄熱材と熱交換を行う冷媒の流量が調節される。
【００１６】
これによって、蓄熱材からの熱の供給量を調節することができる。
【００１７】
なお、第１配管流量調節機構とは、例えば、全開および全閉のみ可能な電磁弁であっても、開度を調節することができる電動弁であってもよい。
【００１８】
第４発明に係る空気調和装置は、第１発明から第３発明のいずれかの空気調和装置であって、蓄熱配管は、蓄熱配管流量調節機構を有している。蓄熱配管流量調節機構は、蓄熱配管を通過する冷媒の流量を調節する。
【００１９】
第４発明に係る空気調和装置では、蓄熱配管は、蓄熱配管流量調節機構を有している。蓄熱配管には、主に圧縮機から吐出される冷媒が流れており、この冷媒は蓄熱配管流量調節機構によって蓄熱配管を流れる流量が調節される。このため、蓄熱材と熱交換が行われる冷媒の流量を調節することができる。
【００２０】
これによって、蓄熱材への蓄熱量を調節することができる。
【００２１】
なお、蓄熱配管流量調節機構とは、例えば、全開および全閉のみ可能な電磁弁であっても、開度を調節することができる電動弁であってもよい。
【００２２】
第５発明に係る空気調和装置は、第１発明から第４発明のいずれかの空気調和装置であって、蓄熱配管は、圧縮機から吐出される冷媒を蓄熱熱交換器に導く。このため、圧縮機から吐出される冷媒は、蓄熱配管を介して蓄熱熱交換器に導かれる。
【００２３】
これによって、蓄熱熱交換器を流れる冷媒と蓄熱材との間で熱交換が行われる。
【００２４】
第６発明に係る空気調和装置は、第２発明または第３発明の空気調和装置であって、暖房運転、蓄熱運転およびデフロスト運転を行う制御部を更に備えている。この空気調和装置において、蓄熱配管は、圧縮機から吐出される冷媒を蓄熱熱交換器に導く。
【００２５】
第６発明に係る空気調和装置では、制御部は、暖房運転、蓄熱運転およびデフロスト運転の制御を行う。暖房運転では、制御部は、圧縮機から吐出される冷媒が利用側熱交換器、減圧機構および熱源側熱交換器の順に通過して圧縮機に吸入されるように制御する。また、蓄熱運転では、制御部は、圧縮機から吐出される冷媒の一部が蓄熱配管を介して蓄熱熱交換器に導かれた後に熱源側熱交換器を通過して圧縮機に吸入されるように制御する。さらに、デフロスト運転では、制御部は、圧縮機から吐出される冷媒が利用側熱交換器を通過し第１配管を介して蓄熱熱交換器を通過し第２配管を介して熱源側熱交換器を通過して圧縮機に吸入されるように制御する。
【００２６】
これによって、暖房運転、蓄熱運転およびデフロスト運転を実行することができる。
【００２７】
また、付随的な効果として、デフロスト運転時だけでなく、蓄熱運転時においても蓄熱熱交換器から流出した冷媒が熱源側熱交換器に導かれる。したがって、蓄熱運転時にも熱源側熱交換器のデフロストを行うことができる。
【００２８】
第７発明に係る空気調和装置は、第１発明から第５発明のいずれかの空気調和装置であって、第３配管を更に備えている。第３配管は、蓄熱熱交換器から利用側熱交換器に冷媒を導く。
【００２９】
これによって、蓄熱熱交換器から流出した冷媒を利用側熱交換器に導くことができる。
【００３０】
第８発明に係る空気調和装置は、第７発明の空気調和装置であって、第２配管は、第２配管流量調節機構を有している。第２配管流量調節機構は、第２配管を流れる冷媒の流量を調節する。
【００３１】
第８発明に係る空気調和装置では、第２配管は、第２配管流量調節機構を有している。第２配管には、蓄熱熱交換器から流出した冷媒が流れており、この冷媒は、第２配管流量調節機構によって第２配管を流れる流量が調節される。したがって、第３配管を流れる冷媒の流量が調節される。
【００３２】
これによって、利用側熱交換器により多くの冷媒を導くことができる。
【００３３】
なお、第２配管流量調節機構とは、例えば、全開および全閉のみ可能な電磁弁であっても、開度を調節することができる電動弁であってもよい。
【００３４】
第９発明に係る空気調和装置は、第１発明から第５発明のいずれかの空気調和装置であって、第４配管を更に備えている。第４配管は、蓄熱熱交換器から流出した冷媒を圧縮機の吸入側に導く。また、第４配管は減圧機構を有している。
【００３５】
第９発明に係る空気調和装置では、第４配管は減圧機構を有している。このため、蓄熱熱交換器から流出した冷媒を減圧し、圧縮機の吸入側に導くことができる。
【００３６】
これによって、圧縮機の負担を軽減させることができる。
【００３７】
第１０発明に係る空気調和装置は、第１発明から第３発明のいずれかの空気調和装置であって、蓄熱配管は、蓄熱材の近傍から利用側熱交換器まで更に延びている。また、蓄熱配管は、圧縮機から吐出される冷媒を利用側熱交換器に導く。
【００３８】
第１０発明に係る空気調和装置では、圧縮機の吐出側から蓄熱材の近傍まで延びている蓄熱配管は、更に、蓄熱材の近傍から利用側熱交換器まで延びている。このため、圧縮機から吐出される冷媒は、蓄熱材との間で熱交換が行われた後、利用側熱交換器に導かれることによって、蓄熱材には、圧縮機から周囲へ放散される放散熱が蓄えられるとともに、圧縮機から吐出される冷媒の熱が蓄えられる。
【００３９】
これによって、圧縮機以外の熱源を用いることなく、デフロスト等に必要な熱量を獲得することができる。
【００４０】
なお、本発明の構成に加えて更にヒーター等の別熱源を用いて蓄熱材へ熱を供給することも考えられるが、その場合も従来と比較して別熱源の容量を小さくできるメリットが生じる。
【発明の効果】
【００４１】
第１発明に係る空気調和装置では、圧縮機以外の熱源を用いることなく、デフロスト等に必要な熱量を獲得することができる。
【００４２】
第２発明に係る空気調和装置では、熱源側熱交換器のデフロストを行うことができる。
【００４３】
第３発明に係る空気調和装置では、蓄熱材からの熱の供給量を調節することができる。
【００４４】
第４発明に係る空気調和装置では、蓄熱材への蓄熱量を調節することができる。
【００４５】
第５発明に係る空気調和装置では、蓄熱熱交換器を流れる冷媒と蓄熱材との間で熱交換が行われる。
【００４６】
第６発明に係る空気調和装置では、暖房運転、蓄熱運転およびデフロスト運転を実行することができる。
【００４７】
第７発明に係る空気調和装置では、蓄熱熱交換器から流出した冷媒を利用側熱交換器に導くことができる。
【００４８】
第８発明に係る空気調和装置では、より多くの冷媒を利用側熱交換器に導くことができる。
【００４９】
第９発明に係る空気調和装置では、圧縮機の負担を軽減させることができる。
【００５０】
第１０発明に係る空気調和装置では、圧縮機以外の熱源を用いることなく、デフロスト等に必要な熱量を獲得することができる。
【発明を実施するための最良の形態】
【００５１】
＜第１実施形態＞
〔空気調和装置の構成〕
本発明の第１実施形態に係る空気調和装置１００の概略冷媒回路を図１に示す。
【００５２】
この空気調和装置１００は、冷房運転および暖房運転のみならず蓄熱運転およびデフロスト運転も可能な空気調和装置であって、主冷媒回路２０、第１デフロスト配管３０、第２デフロスト配管３１および蓄熱配管９０を有する冷媒回路を備えている。第１デフロスト配管３０および第２デフロスト配管３１はデフロスト運転時、蓄熱配管９０は蓄熱運転時に冷媒が流れる配管である。また、蓄熱配管９０は、本実施形態では、主冷媒回路２０および第１デフロスト配管３０と一部重複している。
【００５３】
主冷媒回路２０には、圧縮機３、四路切換弁７、室内熱交換器５、電磁膨張弁ＥＶ１、室外熱交換器４およびアキュムレータ１１が配備されており、各機器は、図１に示されるように、冷媒配管を介して接続されている。また、主冷媒回路２０は、圧縮機３の吐出側と四路切換弁７とを配管接続する吐出ガス配管２０ｃと、四路切換弁７と室内熱交換器５とを配管接続する第１冷媒ガス配管２１ａ、第１冷媒連絡配管２１ｂおよび第２冷媒ガス配管２１ｃと、室内熱交換器５と電磁膨張弁ＥＶ１とを配管接続する第１冷媒液配管２２ａ、第２冷媒連絡配管２２ｂおよび第２冷媒液配管２２ｃと、電磁膨張弁ＥＶ１と室外熱交換器４とを配管接続する第３冷媒液配管２３と、室外熱交換器４と四路切換弁７とを配管接続する第３冷媒ガス配管２４と、四路切換弁７とアキュムレータ１１とを配管接続する第４冷媒ガス配管２５と、アキュムレータ１１と圧縮機３の吸入側とを配管接続する吸入ガス配管２６とから構成されている。なお、吐出ガス配管２０ｃは、第１吐出ガス配管２０ａおよび第２吐出ガス配管２０ｂから構成されている。
【００５４】
第１デフロスト配管３０は、第１デフロスト部分配管３０ａおよび第２デフロスト部分配管３０ｂから構成されており、一端が第２冷媒液配管２２ｃに、他端が蓄熱熱交換器８に配管接続されている。また、第２デフロスト配管３１は、一端が蓄熱熱交換器８に、他端が第３冷媒液配管２３に配管接続されている。このように、第１デフロスト配管３０と第２デフロスト配管３１とは主冷媒回路２０と接続されている。なお、以下、第１デフロスト配管３０と第２冷媒液配管２２ｃとの接合点を第１接合点ＤＣ１といい、第２デフロスト配管３１と第３冷媒液配管２３との接合点を第２接合点ＤＣ２という。そして、第１デフロスト配管３０には、第１電磁弁ＳＶ１と第１逆止弁４１とが配備されている。また、第２デフロスト配管３１には、第２逆止弁４２が配備されている。
【００５５】
また、本実施形態では、第１吐出ガス配管２０ａ、第１蓄熱配管３２および第２デフロスト部分配管３０ｂが蓄熱配管９０として機能する。第１蓄熱配管３２は、一端が吐出ガス配管２０ｃに、他端が第１デフロスト配管３０に配管接続されている。なお、以下、第１蓄熱配管３２と吐出ガス配管２０ｃとの接合点を第３接合点ＨＣ１といい、第１蓄熱配管３２と第１デフロスト配管３０との接合点を第４接合点ＨＣ２という。また、第１蓄熱配管３２には、第３電磁弁ＳＶ３が配備されている。
【００５６】
さらに、本実施形態では、空気調和装置１００は、分離型の空気調和装置であって、室内ユニット２と、室外ユニット１とから構成されている。
【００５７】
室内ユニット２は、室内熱交換器５、第２冷媒ガス配管２１ｃ、第１冷媒液配管２２ａを主に有する。
【００５８】
室外ユニット１は、圧縮機３、四路切換弁７、電磁膨張弁ＥＶ１、アキュムレータ１１、第１吐出ガス配管２０ａ、第２吐出ガス配管２０ｂ、第１冷媒ガス配管２１ａ、第２冷媒液配管２２ｃ、第３冷媒液配管２３、第３冷媒ガス配管２４、第４冷媒ガス配管２５、吸入ガス配管２６、蓄熱熱交換器８、第１デフロスト配管３０、第１電磁弁ＳＶ１、第１逆止弁４１、第２デフロスト配管３１、第２逆止弁４２、第１蓄熱配管３２および第３電磁弁ＳＶ３を主に有する。
【００５９】
また、室内ユニット２と室外ユニット１とは、第１冷媒連絡配管２１ｂおよび第２冷媒連絡配管２２ｂによって配管接続されている。第１冷媒連絡配管２１ｂは、室内ユニット２の第２冷媒ガス配管２１ｃと室外ユニット１の第１冷媒ガス配管２１ａとを配管接続する。第２冷媒連絡配管２２ｂは、室内ユニット２の第１冷媒液配管２２ａと室外ユニット１の第２冷媒液配管２２ｃとを配管接続する。なお、室外ユニット１の第１冷媒ガス配管２１ａと第１冷媒連絡配管２１ｂとは室外ユニット１のガス側閉鎖弁１２を介して、室外ユニット１の第２冷媒液配管２２ｃと第２冷媒連絡配管２２ｂとは室外ユニット１の液側閉鎖弁１３を介してそれぞれ接続されている。また、ガス側閉鎖弁１２および液側閉鎖弁１３は、これら配管を接続した後から開状態とされる。
【００６０】
なお、このように本実施形態に係る空気調和装置１００をユニット単位で見た場合、第１接合点ＤＣ１、第２接合点ＤＣ２、第３接合点ＨＣ１および第４接合点ＨＣ２は室外ユニット１に属する。
【００６１】
（１）室内ユニット
室内ユニット２は、上記の構成要素以外に図示しない室内ファンを有している。
【００６２】
室内熱交換器５は、室内の空気と冷媒との間で熱交換をさせる。
【００６３】
室内ファンは、室内ユニット２内に室内の空気を取り込み、室内熱交換器５を介して冷媒と熱交換した後の空気である調和空気を再び室内へ送り出すためのファンである。
【００６４】
そして、この室内ユニット２は、このような構成を採用することによって、冷房運転時には室内ファンにより取り込んだ室内空気と室内熱交換器５を流れる液冷媒とを熱交換させて調和空気（冷気）を生成することが可能となっている。また、暖房運転時、蓄熱運転時およびデフロスト運転時には室内ファンにより内部に取り込んだ室内空気と室内熱交換器５を流れるガス冷媒とを熱交換させて調和空気（暖気）を生成することが可能となっている。
【００６５】
（２）室外ユニット
室外ユニット１は、上記の構成要素以外に蓄熱材９と蓄熱槽１０とを有している。
【００６６】
圧縮機３は、吸入ガス配管２６を流れる低圧のガス冷媒を吸入して圧縮した後、第１吐出ガス配管２０ａに吐出する。
【００６７】
四路切換弁７は、各運転に対応して、冷媒の流れる方向を切り換えるための弁であり、冷房運転時には、圧縮機３の吐出側と室外熱交換器４のガス側とを接続するとともに、圧縮機３の吸入側と室内熱交換器５のガス側とを接続する。また、暖房運転時、蓄熱運転時およびデフロスト運転時には、四路切換弁７は、圧縮機３の吐出側と室内熱交換器５のガス側とを接続するとともに、圧縮機３の吸入側と室外熱交換器４のガス側とを接続する。
【００６８】
室外熱交換器４は、冷房運転時において、圧縮機３から吐出される高圧のガス冷媒を室外の空気を熱源として凝縮させることが可能であり、暖房運転時には、室内熱交換器５から戻る液冷媒を蒸発させることが可能である。
【００６９】
アキュムレータ１１は、第４冷媒ガス配管２５を流れる冷媒が気液二相状態の冷媒の場合、液冷媒とガス冷媒とに分離し、ガス冷媒のみを圧縮機３の吸入側に送る。
【００７０】
蓄熱槽１０には、蓄熱材９が充填されており、圧縮機３および蓄熱熱交換器８が収容されている。
【００７１】
蓄熱材９は、運転中に高温状態となる圧縮機３から周囲への放散熱を蓄える。さらに、蓄熱材９は、圧縮機３から吐出される冷媒が蓄熱熱交換器８に導かれる場合、蓄熱熱交換器８を流れる冷媒の温熱を蓄える。また、蓄熱材９としては、例えば、ポリエチレングリコール、トレイトール、パラフィン、酢酸ナトリウム３水和物、硫酸ナトリウム１０水和物等が挙げられる。
【００７２】
蓄熱熱交換器８は、圧縮機３のケーシング外周に巻装されており、内部を流れる冷媒と蓄熱槽１０に充填されている蓄熱材９との間で熱交換をさせる。
【００７３】
第１デフロスト配管３０は、開閉可能な第１電磁弁ＳＶ１と第１逆止弁４１とを有している。第１デフロスト配管３０において、第１電磁弁ＳＶ１と第１逆止弁４１とは冷媒の流れに対して直列に配置されている。なお、第１電磁弁ＳＶ１および第１逆止弁４１は第１デフロスト部分配管３０ａに配置されている。そして、第１電磁弁ＳＶ１は第１接合点ＤＣ１側に、第１逆止弁４１は第４接合点ＨＣ２側に配置される。また、第１逆止弁４１は、第１接合点ＤＣ１から第４接合点ＨＣ２に向かう冷媒の流れのみを許容するように取り付けられている。
【００７４】
第２デフロスト配管３１は、第２逆止弁４２を有している。第２逆止弁４２は、蓄熱熱交換器８から第２接合点ＤＣ２への冷媒の流れのみを許容するように取り付けられている。
【００７５】
第１蓄熱配管３２は、上述したように第３電磁弁ＳＶ３を有している。
【００７６】
室外ユニット１は、このような構成を採用することによって、蓄熱運転時には、蓄熱熱交換器８を流れるガス冷媒の温熱を蓄熱材９に蓄え、デフロスト運転時には、蓄熱熱交換器８を流れる液冷媒に蓄熱材９に蓄えられている温熱を供給することによってその液冷媒を蒸発させることが可能となっている。なお、この蓄熱材９は、融点がおよそ３０℃から４０℃であり、潜熱として温熱を蓄えることが可能となっている。
【００７７】
（３）制御部
空気調和装置１００が備える制御部７０ａを図２に示す。制御部７０ａは、電磁膨張弁ＥＶ１、第１電磁弁ＳＶ１、第３電磁弁ＳＶ３、四路切換弁７等の構成部品を制御する。
【００７８】
〔空気調和装置の動作〕
空気調和装置１００の運転動作について、図１、図３を用いて説明する。この空気調和装置１００は、上述したように冷房運転、暖房運転、蓄熱運転およびデフロスト運転を行うことが可能である。
【００７９】
（１）冷房運転
冷房運転時は、四路切換弁７が図１の破線で示される状態、即ち、圧縮機３の吐出側が室外熱交換器４のガス側に接続され、かつ、圧縮機３の吸入側が室内熱交換器５のガス側に接続された状態となる。また、第１電磁弁ＳＶ１および第３電磁弁ＳＶ３はＯＦＦされて閉状態とされる。
【００８０】
この冷媒回路の状態で、圧縮機３を起動すると、ガス冷媒が、圧縮機３に吸入されて圧縮された後、四路切換弁７を経由して室外熱交換器４に送られ、室外熱交換器４において凝縮されて液冷媒となる。
【００８１】
そして、この液冷媒は電磁膨張弁ＥＶ１に送られる。電磁膨張弁ＥＶ１に送られた液冷媒は、減圧された後に、室内熱交換器５に供給され、室内空気を冷却するとともに蒸発されてガス冷媒となる。
【００８２】
そして、このガス冷媒は、四路切換弁７、アキュムレータ１１を経由して、再び、圧縮機３に吸入される。このようにして、冷房運転が行われる。
【００８３】
（２）暖房運転
暖房運転時は、四路切換弁７が図１の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１および第３電磁弁ＳＶ３はＯＦＦされて閉状態とされる。
【００８４】
この冷媒回路の状態で、圧縮機３を起動すると、ガス冷媒が、圧縮機３に吸入されて圧縮された後、四路切換弁７を経由して、室内熱交換器５に供給される。
【００８５】
そして、このガス冷媒は、室内熱交換器５において室内空気を加熱するとともに凝縮されて液冷媒となる。この液冷媒は、電磁膨張弁ＥＶ１に送られて減圧された後、室外熱交換器４に送られる。減圧された液冷媒は、室外熱交換器４において蒸発されてガス冷媒となる。このガス冷媒は、四路切換弁７、アキュムレータ１１を経由して、再び、圧縮機３に吸入される。このようにして、暖房運転が行われる。
【００８６】
（３）蓄熱運転
蓄熱運転は、室外熱交換器４のデフロストを行うために必要な熱量を蓄熱材９に蓄えるために行われる運転である。
【００８７】
蓄熱運転時は、四路切換弁７が図１の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１はＯＦＦされて閉状態とされ、第３電磁弁ＳＶ３はＯＮされて開状態とされる。
【００８８】
この冷媒回路の状態では、ガス冷媒が、圧縮機３に吸入されて圧縮された後、第３接合点ＨＣ１に至る。そして、第３接合点ＨＣ１に至ったガス冷媒は、その後、四路切換弁７を経由して室内熱交換器５に向かう経路である第１経路と、第４接合点ＨＣ２を経由して蓄熱熱交換器８に向かう経路である第２経路とに分配される。
【００８９】
第１経路に分配されたガス冷媒は、室内熱交換器５において室内空気を加熱するとともに凝縮されて液冷媒となる。この液冷媒は、電磁膨張弁ＥＶ１に送られる。電磁膨張弁ＥＶ１に送られた液冷媒は、減圧された後に第２接合点ＤＣ２に至る。
【００９０】
一方、第２経路に分配されたガス冷媒は、蓄熱熱交換器８において蓄熱材９を加熱する。この蓄熱材９は、固相から液相に相転移し、ガス冷媒から供給される温熱を主に潜熱として蓄える。その後、このガス冷媒は、第２接合点ＤＣ２に至る。
【００９１】
そして、第１経路を経由して第２接合点ＤＣ２に至った液冷媒と、第２経路を経由して第２接合点ＤＣ２に至ったガス冷媒とは、第２接合点ＤＣ２で合流した後、室外熱交換器４に送られる。この合流した冷媒は、室外熱交換器４において蒸発されてガス冷媒となる。その後、このガス冷媒は、四路切換弁７、アキュムレータ１１を経由して、再び、圧縮機３に吸入される。
【００９２】
なお、この蓄熱運転は、主に暖房運転時に室内が設定温度以上となると自動的に切り替わる。また、蓄熱運転は、蓄熱槽１０に設けられている蓄熱材９の温度検出用の温度センサの値が所定値以上になると自動的に暖房運転に切り換わるようになっている。
【００９３】
（４）デフロスト運転
デフロスト運転は、室外熱交換器４の外表面に付着した霜を融解するための運転であり、主に蓄熱運転によって蓄熱材９に蓄えられた熱量を利用して行われる。
【００９４】
デフロスト運転時は、四路切換弁７が図１の実線で示される状態、即ち、圧縮機３の吐出側が室内熱交換器５のガス側に接続され、かつ、圧縮機３の吸入側が室外熱交換器４のガス側に接続された状態となっている。また、電磁膨張弁ＥＶ１は全閉状態とされる。さらに、第１電磁弁ＳＶ１はＯＮされて開状態とされ、第３電磁弁ＳＶ３はＯＦＦされて閉状態とされる。
【００９５】
この冷媒回路の状態では、ガス冷媒が、圧縮機３に吸入されて圧縮された後、四路切換弁７を経由して室内熱交換器５に供給される。そして、このガス冷媒は、室内熱交換器５において室内空気を加熱するとともに凝縮されて液冷媒となる。この液冷媒は第１接合点ＤＣ１に至り、第４接合点ＨＣ２を経由して蓄熱熱交換器８に至る。そして、蓄熱熱交換器８に至った液冷媒は、蓄熱熱交換器８において蓄熱材９に蓄えられている温熱を供給されることによって、蒸発されてガス冷媒となる。このガス冷媒は、第２接合点ＤＣ２を経由して室外熱交換器４に送られ、室外熱交換器４の外表面に付着している霜を融解する。その後、このガス冷媒は、四路切換弁７、アキュムレータ１１を経由して、再び、圧縮機３に吸入される。
【００９６】
また、このデフロスト運転は、室外熱交換器４の外表面の温度や外気温などのパラメータに基づいて暖房運転から自動的に切り替わる。また、このデフロスト運転は、所定時間（例えば１０分間）継続して行われる。
【００９７】
＜特徴＞
（１）
従来、圧縮機から周囲への放散熱を蓄熱材に蓄え、この蓄熱を圧縮機の外周面に設けられている蓄熱熱交換器内を流れる冷媒に付与することで室外熱交換器のデフロストを行う空気調和装置が提案されている。しかし、気温が低い場合、室外熱交換器のデフロストに必要な熱量を蓄熱材に蓄えることができないおそれがある。
【００９８】
上記実施形態では、蓄熱材９が充填されており、圧縮機３および蓄熱熱交換器８が収容されている蓄熱槽１０を備える空気調和装置１００において、圧縮機３から吐出される冷媒が蓄熱材９と熱交換可能な位置に導かれるように蓄熱配管９０が備えられている。このため、圧縮機３から吐出される冷媒と蓄熱材９との間で熱交換が行われることによって、蓄熱材９には、圧縮機３から周囲へ放散される放散熱が蓄えられるとともに、圧縮機３から吐出される冷媒の熱が蓄えられる。したがって、蓄熱材９において、室外熱交換器４のデフロストに必要な熱量を獲得することができる。
【００９９】
（２）
上記実施形態では、空気調和装置１００は、室内熱交換器５から流出した冷媒を蓄熱熱交換器８に導く第１デフロスト配管３０と、蓄熱熱交換器８から流出した冷媒を室外熱交換器４に導く第２デフロスト配管３１とを備えている。このため、室内熱交換器５から流出した冷媒は、蓄熱熱交換器８において蓄熱材９と熱交換を行った後、室外熱交換器４に導かれる。したがって、室外熱交換器４のデフロストを行うことができる。
【０１００】
（３）
上記実施形態では、第１蓄熱配管３２は、圧縮機３の吐出側に配置されている吐出ガス配管２０ｃから分岐し、第１デフロスト配管３０に接続されている。このため、圧縮機３から吐出される冷媒を蓄熱熱交換器８に導くことができる。したがって、蓄熱熱交換器８を流れる冷媒と蓄熱材９との間で熱交換を行うことができる。また、吐出ガス配管２０ｃとは別に、圧縮機３の吐出側から蓄熱熱交換器８に冷媒を導く配管を設けた場合よりも、部品点数およびコストを削減することができる。
【０１０１】
（４）
上記実施形態では、空気調和装置１００は、冷房運転、暖房運転、蓄熱運転およびデフロスト運転を行う制御部７０ａを備えている。したがって、冷房運転、暖房運転、蓄熱運転およびデフロスト運転を実行することができている。
【０１０２】
さらに、蓄熱運転時には、圧縮機３から吐出される冷媒が蓄熱熱交換器８において蓄熱材９と熱交換された後、室外熱交換器４に導かれる。したがって、デフロスト運転時だけでなく、蓄熱運転時にも室外熱交換器４のデフロストを行うことができる。
【０１０３】
〔変形例〕
（Ａ）
本発明の第１実施形態では、第１デフロスト部分配管３０ａには、第１デフロスト配管３０を流れる冷媒の流れを制御するために、第１電磁弁ＳＶ１が設けられている。しかし、電磁弁の代わりに電動弁が適用されてもよい。電磁弁の代わりに電動弁を用いると、第１デフロスト配管３０を通過する冷媒の流量を調節することができる。このため、蓄熱熱交換器８を流れる冷媒の流量が調節され、蓄熱材９と熱交換を行う冷媒の流量を調節することができる。したがって、蓄熱材９からの熱の供給量を調節することができる。
【０１０４】
（Ｂ）
本発明の第１実施形態では、第１蓄熱配管３２には、圧縮機３から吐出される冷媒が蓄熱配管９０を通過して蓄熱熱交換器８に導かれるように、第３電磁弁ＳＶ３が設けられている。しかし、電磁弁の代わりに電動弁が適用されてもよい。電磁弁の代わりに電動弁を用いると、蓄熱熱交換器８に導かれる冷媒の流量を調節することができる。このため、蓄熱材９と熱交換が行われる冷媒の流量を調節することができる。したがって、蓄熱材９への蓄熱量を調節することができる。
【０１０５】
＜第２実施形態＞
〔空気調和装置の構成〕
本発明の第２実施形態に係る空気調和装置２００の概略冷媒回路を図４に示す。
【０１０６】
この空気調和装置２００は、冷房運転および暖房運転のみならず蓄熱運転およびデフロスト運転も可能な空気調和装置であって、主冷媒回路２０、第１デフロスト配管３０、第２デフロスト配管３１、蓄熱配管９０および第２蓄熱配管３３を有する冷媒回路を備えている。第１デフロスト配管３０および第２デフロスト配管３１はデフロスト運転時、蓄熱配管９０および第２蓄熱配管３３は蓄熱運転時に冷媒が流れる配管である。また、蓄熱配管９０は、本実施形態では、主冷媒回路２０および第１デフロスト配管３０と一部重複している。
【０１０７】
主冷媒回路２０には、圧縮機３、四路切換弁７、室内熱交換器５、電磁膨張弁ＥＶ１、室外熱交換器４およびアキュムレータ１１が配備されており、各機器は、図４に示されるように、冷媒配管を介して接続されている。また、主冷媒回路２０は、圧縮機３の吐出側と四路切換弁７とを配管接続する吐出ガス配管２０ｃと、四路切換弁７と室内熱交換器５とを配管接続する第１冷媒ガス配管２１ａ、第１冷媒連絡配管２１ｂおよび第２冷媒ガス配管２１ｃと、室内熱交換器５と電磁膨張弁ＥＶ１とを配管接続する第１冷媒液配管２２ａ、第２冷媒連絡配管２２ｂおよび第２冷媒液配管２２ｃと、電磁膨張弁ＥＶ１と室外熱交換器４とを配管接続する第３冷媒液配管２３と、室外熱交換器４と四路切換弁７とを配管接続する第３冷媒ガス配管２４と、四路切換弁７とアキュムレータ１１とを配管接続する第４冷媒ガス配管２５と、アキュムレータ１１と圧縮機３の吸入側とを配管接続する吸入ガス配管２６とから構成されている。なお、吐出ガス配管２０ｃは、第１吐出ガス配管２０ａおよび第２吐出ガス配管２０ｂから構成されている。
【０１０８】
第１デフロスト配管３０は、第１デフロスト部分配管３０ａおよび第２デフロスト部分配管３０ｂから構成されており、一端が第２冷媒液配管２２ｃに、他端が蓄熱熱交換器８に配管接続されている。また、第２デフロスト配管３１は、一端が蓄熱熱交換器８に、他端が第３冷媒液配管２３に配管接続されている。このように、第１デフロスト配管３０と第２デフロスト配管３１とは主冷媒回路２０と接続されている。さらに、第２蓄熱配管３３は、一端が吐出ガス配管２０ｃに、他端が第２デフロスト配管３１に配管接続されている。なお、以下、第１デフロスト配管３０と第２冷媒液配管２２ｃとの接合点を第１接合点ＤＣ１、第２デフロスト配管３１と第３冷媒液配管２３との接合点を第２接合点ＤＣ２、第２蓄熱配管３３と第２デフロスト配管３１との接合点を第５接合点ＨＣ３、第２蓄熱配管３３と吐出ガス配管２０ｃとの接合点を第６接合点ＨＣ４という。そして、第１デフロスト配管３０には、第１電磁弁ＳＶ１と第１逆止弁４１とが配備されている。また、第２デフロスト配管３１には、第２電磁弁ＳＶ２と第２逆止弁４２とが配備されている。さらに、第２蓄熱配管３３には、第３逆止弁４４が配備されている。
【０１０９】
また、本実施形態では、第１吐出ガス配管２０ａ、第１蓄熱配管３２および第２デフロスト部分配管３０ｂが蓄熱配管９０として機能する。第１蓄熱配管３２は、一端が吐出ガス配管２０ｃに、他端が第１デフロスト配管３０に配管接続されている。なお、以下、第１蓄熱配管３２と吐出ガス配管２０ｃとの接合点を第３接合点ＨＣ１といい、第１蓄熱配管３２と第１デフロスト配管３０との接合点を第４接合点ＨＣ２という。そして、第１蓄熱配管３２には、第３電磁弁ＳＶ３が配備されている。
【０１１０】
さらに、本実施形態では、空気調和装置２００は、分離型の空気調和装置であって、室内ユニット２と、室外ユニット１とから構成されている。
【０１１１】
室内ユニット２は、室内熱交換器５、第２冷媒ガス配管２１ｃ、第１冷媒液配管２２ａを主に有する。
【０１１２】
室外ユニット１は、圧縮機３、四路切換弁７、電磁膨張弁ＥＶ１、アキュムレータ１１、第１吐出ガス配管２０ａ、第２吐出ガス配管２０ｂ、第１冷媒ガス配管２１ａ、第２冷媒液配管２２ｃ、第３冷媒液配管２３、第３冷媒ガス配管２４、第４冷媒ガス配管２５、吸入ガス配管２６、蓄熱熱交換器８、第１デフロスト配管３０、第１電磁弁ＳＶ１、第１逆止弁４１、第２デフロスト配管３１、第２電磁弁ＳＶ２、第２逆止弁４２、第２蓄熱配管３３、第３逆止弁４４、第１蓄熱配管３２および第３電磁弁ＳＶ３を主に有する。
【０１１３】
また、室内ユニット２と室外ユニット１とは、第１冷媒連絡配管２１ｂおよび第２冷媒連絡配管２２ｂによって配管接続されている。第１冷媒連絡配管２１ｂは、室内ユニット２の第２冷媒ガス配管２１ｃと室外ユニット１の第１冷媒ガス配管２１ａとを配管接続する。第２冷媒連絡配管２２ｂは、室内ユニット２の第１冷媒液配管２２ａと室外ユニット１の第２冷媒液配管２２ｃとを配管接続する。なお、室外ユニット１の第１冷媒ガス配管２１ａと第１冷媒連絡配管２１ｂとは室外ユニット１のガス側閉鎖弁１２を介して、室外ユニット１の第２冷媒液配管２２ｃと第２冷媒連絡配管２２ｂとは室外ユニット１の液側閉鎖弁１３を介してそれぞれ接続されている。また、ガス側閉鎖弁１２および液側閉鎖弁１３は、これら配管を接続した後から開状態とされる。
【０１１４】
なお、このように本実施形態に係る空気調和装置２００をユニット単位で見た場合、第１接合点ＤＣ１、第２接合点ＤＣ２、第３接合点ＨＣ１、第４接合点ＨＣ２、第５接合点ＨＣ３および第６接合点ＨＣ４は室外ユニット１に属する。
【０１１５】
（１）室内ユニット
室内ユニット２は、上記の構成要素以外に図示しない室内ファンを有している。
【０１１６】
室内熱交換器５は、室内の空気と冷媒との間で熱交換をさせる。
【０１１７】
室内ファンは、室内ユニット２内に室内の空気を取り込み、室内熱交換器５を介して冷媒と熱交換した後の空気である調和空気を再び室内へ送り出すためのファンである。
【０１１８】
そして、この室内ユニット２は、このような構成を採用することによって、冷房運転時には室内ファンにより取り込んだ室内空気と室内熱交換器５を流れる液冷媒とを熱交換させて調和空気（冷気）を生成することが可能となっている。また、暖房運転時、蓄熱運転時およびデフロスト運転時には室内ファンにより内部に取り込んだ室内空気と室内熱交換器５を流れるガス冷媒とを熱交換させて調和空気（暖気）を生成することが可能となっている。
【０１１９】
（２）室外ユニット
室外ユニット１は、上記の構成要素以外に蓄熱材９と蓄熱槽１０とを有している。
【０１２０】
圧縮機３は、吸入ガス配管２６を流れる低圧のガス冷媒を吸入して圧縮した後、第１吐出ガス配管２０ａに吐出する。
【０１２１】
四路切換弁７は、各運転に対応して、冷媒の流れる方向を切り換えるための弁であり、冷房運転時には、圧縮機３の吐出側と室外熱交換器４のガス側とを接続するとともに、圧縮機３の吸入側と室内熱交換器５のガス側とを接続する。また、暖房運転時、蓄熱運転時およびデフロスト運転時には、四路切換弁７は、圧縮機３の吐出側と室内熱交換器５のガス側とを接続するとともに、圧縮機３の吸入側と室外熱交換器４のガス側とを接続する。
【０１２２】
室外熱交換器４は、冷房運転時において、圧縮機３から吐出される高圧のガス冷媒を室外の空気を熱源として凝縮させることが可能であり、暖房運転時には、室内熱交換器５から戻る液冷媒を蒸発させることが可能である。
【０１２３】
アキュムレータ１１は、第４冷媒ガス配管２５を流れる冷媒が気液二相状態の冷媒の場合、液冷媒とガス冷媒とに分離し、ガス冷媒のみを圧縮機３の吸入側に送る。
【０１２４】
蓄熱槽１０には、蓄熱材９が充填されており、圧縮機３および蓄熱熱交換器８が収容されている。
【０１２５】
蓄熱材９は、運転中に高温状態となる圧縮機３から周囲への放散熱を蓄える。さらに、蓄熱材９は、圧縮機３から吐出される冷媒が蓄熱熱交換器８に導かれる場合、蓄熱熱交換器８を流れる冷媒の温熱を蓄える。また、蓄熱材９としては、例えば、ポリエチレングリコール、トレイトール、パラフィン、酢酸ナトリウム３水和物、硫酸ナトリウム１０水和物等が挙げられる。
【０１２６】
蓄熱熱交換器８は、圧縮機３のケーシング外周に巻装されており、内部を流れる冷媒と蓄熱槽１０に充填されている蓄熱材９との間で熱交換をさせる。
【０１２７】
第１デフロスト配管３０は、開閉可能な第１電磁弁ＳＶ１と第１逆止弁４１とを有している。第１デフロスト配管３０において、第１電磁弁ＳＶ１と第１逆止弁４１とは冷媒の流れに対して直列に配置されている。なお、第１電磁弁ＳＶ１および第１逆止弁４１は、第１デフロスト部分配管３０ａに配置されている、そして、第１電磁弁ＳＶ１は第１接合点ＤＣ１側に、第１逆止弁４１は第４接合点ＨＣ２側に配置される。また、第１逆止弁４１は、第１接合点ＤＣ１から第４接合点ＨＣ２に向かう冷媒の流れのみを許容するように取り付けられている。
【０１２８】
第２デフロスト配管３１は、第２電磁弁ＳＶ２と第２逆止弁４２とを有している。第２デフロスト配管３１において、第２電磁弁ＳＶ２と第２逆止弁４２とは冷媒の流れに対して直列に配置されている。なお、第２電磁弁ＳＶ２は第５接合点ＨＣ３側に、第２逆止弁４２は第２接合点ＤＣ２側に配置される。また、第２逆止弁４２は、第５接合点ＨＣ３から第２接合点ＤＣ２に向かう冷媒の流れのみを許容するように取り付けられている。
【０１２９】
第２蓄熱配管３３は、第３逆止弁４４を有している。第３逆止弁４４は、第５接合点ＨＣ３から第６接合点ＨＣ４に向かう冷媒の流れのみを許容するように取り付けられている。
【０１３０】
第１蓄熱配管３２は、上述したように第３電磁弁ＳＶ３を有している。
【０１３１】
室外ユニット１は、このような構成を採用することによって、蓄熱運転時には、蓄熱熱交換器８を流れるガス冷媒の温熱を蓄熱材９に蓄え、デフロスト運転時には、蓄熱熱交換器８を流れる液冷媒に蓄熱材９に蓄えられている温熱を供給することによって、その液冷媒を蒸発させることが可能となっている。なお、この蓄熱材９は、融点がおよそ３０℃から４０℃であり、潜熱として温熱を蓄えることが可能となっている。
【０１３２】
（３）制御部
空気調和装置２００が備える制御部７０ｂを図５に示す。制御部７０ｂは、電磁膨張弁ＥＶ１、第１電磁弁ＳＶ１、第２電磁弁ＳＶ２、第３電磁弁ＳＶ３、四路切換弁７等の構成部品を制御する。
【０１３３】
〔空気調和装置の動作〕
空気調和装置２００の運転動作について、図４、図６を用いて説明する。この空気調和装置２００は、上述したように冷房運転、暖房運転、蓄熱運転およびデフロスト運転を行うことが可能である。
【０１３４】
（１）冷房運転
冷房運転時は、四路切換弁７が図４の破線で示される状態、即ち、圧縮機３の吐出側が室外熱交換器４のガス側に接続され、かつ、圧縮機３の吸入側が室内熱交換器５のガス側に接続された状態となる。また、第１電磁弁ＳＶ１、第２電磁弁ＳＶ２、および第３電磁弁ＳＶ３はＯＦＦされて閉状態とされる。
【０１３５】
この冷媒回路の状態で、圧縮機３を起動すると、ガス冷媒が、圧縮機３に吸入されて圧縮された後、四路切換弁７を経由して室外熱交換器４に送られ、室外熱交換器４において凝縮されて液冷媒となる。
【０１３６】
そして、この液冷媒は電磁膨張弁ＥＶ１に送られる。電磁膨張弁ＥＶ１に送られた液冷媒は、減圧された後、室内熱交換器５に供給され、室内空気を冷却するとともに蒸発されてガス冷媒となる。
【０１３７】
そして、このガス冷媒は、四路切換弁７、アキュムレータ１１を経由して、再び、圧縮機３に吸入される。このようにして、冷房運転が行われる。
【０１３８】
（２）暖房運転
暖房運転時は、四路切換弁７が図４の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１、第２電磁弁ＳＶ２および第３電磁弁ＳＶ３はＯＦＦされて閉状態とされる。
【０１３９】
この冷媒回路の状態で、圧縮機３を起動すると、ガス冷媒が、圧縮機３に吸入されて圧縮された後、四路切換弁７を経由して、室内熱交換器５に供給される。
【０１４０】
そして、このガス冷媒は、室内熱交換器５において室内空気を加熱するとともに凝縮されて液冷媒となる。この液冷媒は電磁膨張弁ＥＶ１に送られて、減圧された後に室外熱交換器４に送られる。減圧された液冷媒は、室外熱交換器４において蒸発されてガス冷媒となる。このガス冷媒は、四路切換弁７、アキュムレータ１１を経由して、再び、圧縮機３に吸入される。このようにして、暖房運転が行われる。
【０１４１】
（３）蓄熱運転
蓄熱運転は、室外熱交換器４のデフロストを行うために必要な熱量を蓄熱材９に蓄えるために行われる運転である。
【０１４２】
蓄熱運転時は、四路切換弁７が図４の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１と第２電磁弁ＳＶ２とはＯＦＦされて閉状態とされ、第３電磁弁ＳＶ３はＯＮされて開状態となる。
【０１４３】
この冷媒回路の状態では、ガス冷媒が、圧縮機３に吸入されて圧縮された後、第３接合点ＨＣ１に至る。そして、第３接合点ＨＣ１に至ったガス冷媒は、その後、直接第６接合点ＨＣ４に向かう経路である第１経路と、第４接合点ＨＣ２を経由して蓄熱熱交換器８に向かう経路である第２経路とに分配される。
【０１４４】
第２経路に分配されたガス冷媒は、蓄熱熱交換器８において蓄熱材９を加熱する。この蓄熱材９は、固相から液相に相転移し、ガス冷媒から供給される温熱を主に潜熱として蓄える。その後、このガス冷媒は、第５接合点ＨＣ３を経由して第６接合点ＨＣ４に至る。
【０１４５】
そして、第１経路を経て第６接合点ＨＣ４に至ったガス冷媒と、第２経路を経て第６接合点ＨＣ４に至ったガス冷媒とは、第６接合点ＨＣ４で合流する。合流したガス冷媒は、四路切換弁７を経由して室内熱交換器５に送られる。このガス冷媒は、室内熱交換器５において室内空気を加熱するとともに凝縮されて液冷媒となる。この液冷媒は電磁膨張弁ＥＶ１に送られる。電磁膨張弁ＥＶ１に送られた液冷媒は、減圧された後に室外熱交換器４に送られて、室外熱交換器４において蒸発されてガス冷媒となる。このガス冷媒は、四路切換弁７，アキュムレータ１１を経由して、再び、圧縮機３に吸入される。
【０１４６】
なお、この蓄熱運転は、主に暖房運転時に室内が設定温度以上となると自動的に切り替わる。また、蓄熱運転は、蓄熱槽１０に設けられている蓄熱材９の温度検出用の温度センサの値が所定値以上になると自動的に暖房運転に切り換わるようになっている。
【０１４７】
（４）デフロスト運転
デフロスト運転は、室外熱交換器４の外表面に付着した霜を融解するための運転であり、主に蓄熱運転によって蓄熱材９に蓄えられた熱量を利用して行われる。
【０１４８】
デフロスト運転時は、四路切換弁７が図４の実線で示される状態、即ち、圧縮機３の吐出側が室内熱交換器５のガス側に接続され、かつ、圧縮機３の吸入側が室外熱交換器４のガス側に接続された状態となっている。また、電磁膨張弁ＥＶ１は全閉状態とされる。さらに、第１電磁弁ＳＶ１と第２電磁弁ＳＶ２とはＯＮされて開状態とされ、第３電磁弁ＳＶ３はＯＦＦされて閉状態とされる。
【０１４９】
この冷媒回路の状態では、ガス冷媒が、圧縮機３に吸入されて圧縮された後、四路切換弁７を経由して室内熱交換器５に供給される。そして、このガス冷媒は、室内熱交換器５において室内空気を加熱するとともに凝縮されて液冷媒となる。この液冷媒は、第１接合点ＤＣ１に至る。第１接合点ＤＣ１側に至った液冷媒は、第４接合点ＨＣ２を経由して蓄熱熱交換器８に至る。そして、蓄熱熱交換器８に至った液冷媒は、蓄熱熱交換器８において蓄熱材９に蓄えられている温熱を供給されることによって、その液冷媒が蒸発されてガス冷媒となる。このガス冷媒は、第２接合点ＤＣ２を経由して室外熱交換器４に送られ、室外熱交換器４の外表面に付着している霜を融解する。そして、このガス冷媒は、四路切換弁７、アキュムレータ１１を経由して、再び、圧縮機３に吸入される。
【０１５０】
また、このデフロスト運転は、室外熱交換器４の外表面の温度や外気温などのパラメータに基づいて暖房運転から自動的に切り替わる。また、このデフロスト運転は、所定時間（例えば１０分間）継続して行われる。
【０１５１】
＜特徴＞
（１）
上記実施形態では、蓄熱材９が充填されており、圧縮機３および蓄熱熱交換器８が収容されている蓄熱槽１０を備える空気調和装置２００において、圧縮機３から吐出される冷媒が蓄熱材９と熱交換可能な位置に導かれるように蓄熱配管９０が備えられている。このため、圧縮機３から吐出される冷媒と蓄熱材９との間で熱交換が行われることによって、蓄熱材９には、圧縮機３から周囲へ放散される放散熱が蓄えられるとともに、圧縮機３から吐出される冷媒の熱が蓄えられる。したがって、蓄熱材９において、室外熱交換器４のデフロストに必要な熱量を獲得することができる。
【０１５２】
（２）
上記実施形態では、空気調和装置２００は、室内熱交換器５から流出した冷媒を蓄熱熱交換器８に導く第１デフロスト配管３０と、蓄熱熱交換器８から流出した冷媒を室外熱交換器４に導く第２デフロスト配管３１とを備えている。このため、室内熱交換器５から流出した冷媒は、蓄熱熱交換器８において蓄熱材９と熱交換を行った後、室外熱交換器４に導かれる。したがって、室外熱交換器４のデフロストを行うことができる。
【０１５３】
（３）
上記実施形態では、第１蓄熱配管３２は、圧縮機３の吐出側に配置されている吐出ガス配管２０ｃから分岐し、第１デフロスト配管３０に接続されている。このため、圧縮機３から吐出される冷媒を蓄熱熱交換器８に導くことができる。したがって、蓄熱熱交換器８を流れる冷媒と蓄熱材９との間で熱交換を行うことができる。また、吐出ガス配管２０ｃとは別に、圧縮機３の吐出側から蓄熱熱交換器８に冷媒を導く配管を設けた場合よりも、部品点数およびコストを削減することができる。
【０１５４】
（４）
上記実施形態では、空気調和装置２００は、第２蓄熱配管３３と第２電磁弁ＳＶ２とを備えている。これによって、蓄熱熱交換器８から流出した冷媒を室内熱交換器５に導くことができる。したがって、第２蓄熱配管３３を備えていない冷媒回路よりも多くの冷媒を室内熱交換器５に導くことができる。
【０１５５】
〔変形例〕
（Ａ）
本発明の第２実施形態では、第１デフロスト部分配管３０ａには、第１デフロスト配管３０を流れる冷媒の流れを制御するために、第１電磁弁ＳＶ１が設けられている。しかし、電磁弁の代わりに電動弁が適用されてもよい。電磁弁の代わりに電動弁を用いると、第１デフロスト配管３０を通過する冷媒の流量を調節することができる。このため、蓄熱熱交換器８を流れる冷媒の流量が調節され、蓄熱材９と熱交換を行う冷媒の流量を調節することができる。したがって、蓄熱材からの熱の供給量を調節することができる。
【０１５６】
（Ｂ）
本発明の第２実施形態では、第２デフロスト配管３１には、第２デフロスト配管３１を流れる冷媒の流れを制御するために、第２電磁弁ＳＶ２が設けられている。しかし、電磁弁の代わりに電動弁が適用されてもよい。電磁弁の代わりに電動弁を用いると、第２デフロスト配管３１を通過する冷媒の流量を調節することができる。このため、第２蓄熱配管３３を流れる冷媒の流量が調節することができる。したがって、蓄熱熱交換器８から室内熱交換器５に導かれる冷媒の流量を調節することができる。
【０１５７】
（Ｃ）
本発明の第２実施形態では、第１蓄熱配管３２には、圧縮機３から吐出される冷媒が蓄熱配管９０を通過して蓄熱熱交換器８に導かれるように、第３電磁弁ＳＶ３が設けられている。しかし、電磁弁の代わりに電動弁が適用されてもよい。電磁弁の代わりに電動弁を用いると、蓄熱熱交換器８に導かれる冷媒の流量を調節することができる。このため、蓄熱材９と熱交換が行われる冷媒の流量を調節することができる。したがって、蓄熱材９への蓄熱量を調節することができる。
【０１５８】
＜第３実施形態＞
本発明の第３実施形態に係る空気調和装置３００の概略冷媒回路を図７に示す。
【０１５９】
この空気調和装置３００は、冷房運転および暖房運転のみならずデフロスト運転および蓄熱運転も可能な空気調和装置であって、主冷媒回路２０、第１デフロスト配管３０、第２デフロスト配管３１、第３蓄熱配管３４および蓄熱配管９０を有する冷媒回路を備えている。第１デフロスト配管３０および第２デフロスト配管３１はデフロスト運転時、蓄熱配管９０および第３蓄熱配管３４は蓄熱運転時に冷媒が流れる配管である。また、蓄熱配管９０は、本実施形態では、主冷媒回路２０および第１デフロスト配管３０と一部重複している。
【０１６０】
主冷媒回路２０には、圧縮機３、四路切換弁７、室内熱交換器５、電磁膨張弁ＥＶ１、室外熱交換器４およびアキュムレータ１１が配備されており、各機器は、図７に示されるように、冷媒配管を介して接続されている。また、主冷媒回路２０は、圧縮機３の吐出側と四路切換弁７とを配管接続する吐出ガス配管２０ｃと、四路切換弁７と室内熱交換器５とを配管接続する第１冷媒ガス配管２１ａ、第１冷媒連絡配管２１ｂおよび第２冷媒ガス配管２１ｃと、室内熱交換器５と電磁膨張弁ＥＶ１とを配管接続する第１冷媒液配管２２ａ、第２冷媒連絡配管２２ｂおよび第２冷媒液配管２２ｃと、電磁膨張弁ＥＶ１と室外熱交換器４とを配管接続する第３冷媒液配管２３と、室外熱交換器４と四路切換弁７とを配管接続する第３冷媒ガス配管２４と、四路切換弁７とアキュムレータ１１とを配管接続する第４冷媒ガス配管２５と、アキュムレータ１１と圧縮機３の吸入側とを配管接続する吸入ガス配管２６とから構成されている。なお、吐出ガス配管２０ｃは、第１吐出ガス配管２０ａおよび第２吐出ガス配管２０ｂから構成されている。
【０１６１】
第１デフロスト配管３０は、第１デフロスト部分配管３０ａおよび第２デフロスト部分配管３０ｂから構成されており、一端が第２冷媒液配管２２ｃに、他端が蓄熱熱交換器８に配管接続されている。また、第２デフロスト配管３１は、一端が蓄熱熱交換器８に、他端が第３冷媒液配管２３に配管接続されている。このように、第１デフロスト配管３０と第２デフロスト配管３１とは主冷媒回路２０と接続されている。さらに、第３蓄熱配管３４は、一端が第２デフロスト配管３１に、他端が第４冷媒ガス配管２５に配管接続されている。なお、以下、第１デフロスト配管３０と第２冷媒液配管２２ｃとの接合点を第１接合点ＤＣ１、第２デフロスト配管３１と第３冷媒液配管２３との接合点を第２接合点ＤＣ２、第３蓄熱配管３４と第２デフロスト配管３１との接合点を第７接合点ＢＣ１、第３蓄熱配管３４と第４冷媒ガス配管２５との接合点を第８接合点ＢＣ２という。そして、第１デフロスト配管３０には、第１電磁弁ＳＶ１と第１逆止弁４１とが配備されている。また、第２デフロスト配管３１には、第２電磁弁ＳＶ２と第２逆止弁４２とが配備されている。さらに、第３蓄熱配管３４には、キャピラリチューブ３４ａが配備されている。
【０１６２】
また、本実施形態では、第１吐出ガス配管２０ａ、第１蓄熱配管３２および第２デフロスト部分配管３０ｂが蓄熱配管９０として機能する。第１蓄熱配管３２は、一端が吐出ガス配管２０ｃに、他端が第１デフロスト配管３０に配管接続されている。なお、以下、第１蓄熱配管３２と吐出ガス配管２０ｃとの接合点を第３接合点ＨＣ１といい、第１蓄熱配管３２と第１デフロスト配管３０との接合点を第４接合点ＨＣ２という。そして、第１蓄熱配管３２には、第３電磁弁ＳＶ３が配備されている。
【０１６３】
さらに、本実施形態では、空気調和装置３００は、分離型の空気調和装置であって、室内ユニット２と、室外ユニット１とから構成されている。
【０１６４】
室内ユニット２は、室内熱交換器５、第２冷媒ガス配管２１ｃ、第１冷媒液配管２２ａを主に有する。
【０１６５】
室外ユニット１は、圧縮機３、四路切換弁７、電磁膨張弁ＥＶ１、アキュムレータ１１、第１吐出ガス配管２０ａ、第２吐出ガス配管２０ｂ、第１冷媒ガス配管２１ａ、第２冷媒液配管２２ｃ、第３冷媒液配管２３、第３冷媒ガス配管２４、第４冷媒ガス配管２５、吸入ガス配管２６、蓄熱熱交換器８、第１デフロスト配管３０、第１電磁弁ＳＶ１、第１逆止弁４１、第２デフロスト配管３１、第２電磁弁ＳＶ２、第２逆止弁４２、第３蓄熱配管３４、キャピラリチューブ３４ａ、第１蓄熱配管３２および第３電磁弁ＳＶ３を主に有する。
【０１６６】
また、室内ユニット２と室外ユニット１とは、第１冷媒連絡配管２１ｂおよび第２冷媒連絡配管２２ｂによって配管接続されている。第１冷媒連絡配管２１ｂは、室内ユニット２の第２冷媒ガス配管２１ｃと室外ユニット１の第１冷媒ガス配管２１ａとを配管接続する。第２冷媒連絡配管２２ｂは、室内ユニット２の第１冷媒液配管２２ａと室外ユニット１の第２冷媒液配管２２ｃとを配管接続する。なお、室外ユニット１の第１冷媒ガス配管２１ａと第１冷媒連絡配管２１ｂとは室外ユニット１のガス側閉鎖弁１２を介して、室外ユニット１の第２冷媒液配管２２ｃと第２冷媒連絡配管２２ｂとは室外ユニット１の液側閉鎖弁１３を介してそれぞれ接続されている。また、ガス側閉鎖弁１２および液側閉鎖弁１３は、これら配管を接続した後から開状態とされる。
【０１６７】
なお、このように本実施形態に係る空気調和装置３００をユニット単位で見た場合、第１接合点ＤＣ１、第２接合点ＤＣ２、第３接合点ＨＣ１、第４接合点ＨＣ２、第７接合点ＢＣ１および第８接合点ＢＣ２は室外ユニット１に属する。
【０１６８】
（１）室内ユニット
室内ユニット２は、上記の構成要素以外に図示しない室内ファンを有している。
【０１６９】
室内熱交換器５は、室内の空気と冷媒との間で熱交換をさせる。
【０１７０】
室内ファンは、室内ユニット２内に室内の空気を取り込み、室内熱交換器５を介して冷媒と熱交換した後の空気である調和空気を再び室内へ送り出すためのファンである。
【０１７１】
そして、この室内ユニット２は、このような構成を採用することによって、冷房運転時には室内ファンにより取り込んだ室内空気と室内熱交換器５を流れる液冷媒とを熱交換させて調和空気（冷気）を生成することが可能となっている。また、暖房運転時、蓄熱運転時およびデフロスト運転時には室内ファンにより内部に取り込んだ室内空気と室内熱交換器５を流れるガス冷媒とを熱交換させて調和空気（暖気）を生成することが可能となっている。
【０１７２】
（２）室外ユニット
室外ユニット１は、上記の構成要素以外に蓄熱材９と蓄熱槽１０とを有している。
【０１７３】
圧縮機３は、吸入ガス配管２６を流れる低圧のガス冷媒を吸入して圧縮した後、第１吐出ガス配管２０ａに吐出する。
【０１７４】
四路切換弁７は、各運転に対応して、冷媒の流れる方向を切り換えるための弁であり、冷房運転時には、圧縮機３の吐出側と室外熱交換器４のガス側とを接続するとともに、圧縮機３の吸入側と室内熱交換器５のガス側とを接続する。また、暖房運転時、蓄熱運転時およびデフロスト運転時には、四路切換弁７は、圧縮機３の吐出側と室内熱交換器５のガス側とを接続するとともに、圧縮機３の吸入側と室外熱交換器４のガス側とを接続する。
【０１７５】
室外熱交換器４は、冷房運転時において、圧縮機３から吐出される高圧のガス冷媒を室外の空気を熱源として凝縮させることが可能であり、暖房運転時には、室内熱交換器５から戻る液冷媒を蒸発させることが可能である。
【０１７６】
アキュムレータ１１は、第４冷媒ガス配管２５を流れる冷媒が気液二相状態の冷媒の場合、液冷媒とガス冷媒とに分離し、ガス冷媒のみを圧縮機３の吸入側に送る。
【０１７７】
蓄熱槽１０には、蓄熱材９が充填されており、圧縮機３および蓄熱熱交換器８が収容されている。
【０１７８】
蓄熱材９は、運転中に高温状態となる圧縮機３から周囲への放散熱を蓄える。さらに、蓄熱材９は、圧縮機３から吐出される冷媒が蓄熱熱交換器８に導かれる場合、蓄熱熱交換器８を流れる冷媒の温熱を蓄える。また、蓄熱材９としては、例えば、ポリエチレングリコール、トレイトール、パラフィン、酢酸ナトリウム３水和物、硫酸ナトリウム１０水和物等が挙げられる。
【０１７９】
蓄熱熱交換器８は、圧縮機３のケーシング外周に巻装されており、内部を流れる冷媒と蓄熱槽１０に充填されている蓄熱材９との間で熱交換をさせる。
【０１８０】
第１デフロスト配管３０は、開閉可能な第１電磁弁ＳＶ１と第１逆止弁４１とを有している。第１デフロスト配管３０において、第１電磁弁ＳＶ１と第１逆止弁４１とは冷媒の流れに対して直列に配置されている。なお、第１電磁弁ＳＶ１および第１逆止弁４１は、第１デフロスト部分配管３０ａに配置されている。そして、第１電磁弁ＳＶ１は第１接合点ＤＣ１側に、第１逆止弁４１は、第４接合点ＨＣ２側に配置される。また、第１逆止弁４１は、第１接合点ＤＣ１から第４接合点ＨＣ２に向かう冷媒の流れのみを許容するように取り付けられている。
【０１８１】
第２デフロスト配管３１は、第２電磁弁ＳＶ２と第２逆止弁４２とを有している。第２デフロスト配管３１において、第２電磁弁ＳＶ２と第２逆止弁４２とは冷媒の流れに対して直列に配置されている。なお、第２電磁弁ＳＶ２は第７接合点ＢＣ１側に、第２逆止弁４２は第２接合点ＤＣ２側に配置される。また、第２逆止弁４２は、第７接合点ＢＣ１から第２接合点ＤＣ２への冷媒の流れのみを許容するように取り付けられている。
【０１８２】
第３蓄熱配管３４は、キャピラリチューブ３４ａを有している。キャピラリチューブ３４ａは、第３蓄熱配管３４を流れる冷媒を減圧する。
【０１８３】
第１蓄熱配管３２は、上述したように開閉可能な第３電磁弁ＳＶ３を有している。
【０１８４】
室外ユニット１は、このような構成を採用することによって、蓄熱運転時には、蓄熱熱交換器８を流れるガス冷媒の温熱を蓄熱材９に蓄え、デフロスト運転時には、蓄熱熱交換器８を流れる液冷媒に蓄熱材９に蓄えられている温熱を供給することによってその液冷媒を蒸発させることが可能となっている。なお、この蓄熱材９は、融点がおよそ３０℃から４０℃であり、潜熱として温熱を蓄えることが可能となっている。
【０１８５】
（３）制御部
空気調和装置３００が備える制御部７０ｂを図５に示す。制御部７０ｂは、電磁膨張弁ＥＶ１、第１電磁弁ＳＶ１、第２電磁弁ＳＶ２、第３電磁弁ＳＶ３、四路切換弁７等の構成部品を制御する。
【０１８６】
〔空気調和装置の動作〕
空気調和装置３００の運転動作について、図６、図７を用いて説明する。この空気調和装置３００は、上述したように冷房運転、暖房運転、蓄熱運転およびデフロスト運転を行うことが可能である。
【０１８７】
（１）冷房運転
冷房運転時は、四路切換弁７が図７の破線で示される状態、即ち、圧縮機３の吐出側が室外熱交換器４のガス側に接続され、かつ、圧縮機３の吸入側が室内熱交換器５のガス側に接続された状態となる。また、第１電磁弁ＳＶ１、第２電磁弁ＳＶ２および第３電磁弁ＳＶ３はＯＦＦされて閉状態とされる。
【０１８８】
この冷媒回路の状態で、圧縮機３を起動すると、ガス冷媒が、圧縮機３に吸入されて圧縮された後、四路切換弁７を経由して室外熱交換器４に送られ、室外熱交換器４において凝縮されて液冷媒となる。
【０１８９】
そして、この液冷媒は電磁膨張弁ＥＶ１に送られる。電磁膨張弁ＥＶ１に送られた液冷媒は、減圧された後に、室内熱交換器５に供給され、室内空気を冷却するとともに蒸発されてガス冷媒となる。
【０１９０】
そして、そのガス冷媒は、四路切換弁７、アキュムレータ１１を経由して、再び、圧縮機３に吸入される。このようにして、冷房運転が行われる。
【０１９１】
（２）暖房運転
暖房運転時は、四路切換弁７が図７の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１、第２電磁弁ＳＶ２および第３電磁弁ＳＶ３はＯＦＦされて閉状態とされる。
【０１９２】
この冷媒回路の状態で、圧縮機３を起動すると、ガス冷媒が、圧縮機３に吸入されて圧縮された後、四路切換弁７を経由して、室内熱交換器５に供給される。
【０１９３】
そして、このガス冷媒は、室内熱交換器５において室内空気を加熱するとともに凝縮されて液冷媒となる。この液冷媒は、電磁膨張弁ＥＶ１に送られて減圧された後に室外熱交換器４に送られる。減圧された液冷媒は、室外熱交換器４において蒸発されてガス冷媒となる。このガス冷媒は、四路切換弁７、アキュムレータ１１を経由して、再び、圧縮機３に吸入される。このようにして、暖房運転が行われる。
【０１９４】
（３）蓄熱運転
蓄熱運転は、室外熱交換器４のデフロストを行うために必要な熱量を蓄熱材９に蓄えるために行われる運転である。
【０１９５】
蓄熱運転時は、四路切換弁７が図７の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１および第２電磁弁ＳＶ２はＯＦＦされて閉状態とされ、第３電磁弁ＳＶ３はＯＮされて開状態とされる。
【０１９６】
この冷媒回路の状態では、ガス冷媒が、圧縮機３に吸入されて圧縮された後、第３接合点ＨＣ１に至る。そして、第３接合点ＨＣ１に至ったガス冷媒は、その後、四路切換弁７を経由して室内熱交換器５に向かう経路である第１経路と、第４接合点ＨＣ２を経由して蓄熱熱交換器８に向かう経路である第２経路とに分配される。
【０１９７】
第１経路に分配されたガス冷媒は、室内熱交換器５において室内空気を加熱するとともに凝縮されて液冷媒となる。この液冷媒は電磁膨張弁ＥＶ１に送られて、減圧された後に室外熱交換器４に送られる。減圧された液冷媒は、室外熱交換器４において蒸発されてガス冷媒となる。このガス冷媒は、四路切換弁７を経由して第８接合点ＢＣ２に至る。
【０１９８】
一方、第２経路に分配されたガス冷媒は、蓄熱熱交換器８において蓄熱材９を加熱する。この蓄熱材９は、固相から液相に相転移し、ガス冷媒から供給される温熱を主に潜熱として蓄える。その後、このガス冷媒は、第７接合点ＢＣ１を経由し、キャピラリチューブ３４ａにより減圧されて、第８接合点ＢＣ２に至る。
【０１９９】
そして、第１経路を経て第８接合点ＢＣ２に至ったガス冷媒と、第２経路を経て第８接合点ＢＣ２に至ったガス冷媒とは、第８接合点ＢＣ２で合流し、合流したガス冷媒は、アキュムレータ１１を経由して、再び、圧縮機３に吸入される。
【０２００】
なお、この蓄熱運転は、主に暖房運転時に室内が設定温度以上となると自動的に切り替わる。また、蓄熱運転は、蓄熱槽１０に設けられている蓄熱材９の温度検出用の温度センサの値が所定値以上になると自動的に暖房運転に切り換わるようになっている。
【０２０１】
（４）デフロスト運転
デフロスト運転は、室外熱交換器４の外表面に付着した霜を融解するための運転であり、主に蓄熱運転によって蓄熱材９に蓄えられた熱量を利用して行われる。
【０２０２】
デフロスト運転時は、四路切換弁７が図７の実線で示される状態、即ち、圧縮機３の吐出側が室内熱交換器５のガス側に接続され、かつ、圧縮機３の吸入側が室外熱交換器４のガス側に接続された状態となっている。また、電磁膨張弁ＥＶ１は全閉状態とされる。さらに、第１電磁弁ＳＶ１および第２電磁弁ＳＶ２とはＯＮされて開状態とされ、第３電磁弁ＳＶ３はＯＦＦされて閉状態とされる。
【０２０３】
この冷媒回路の状態では、ガス冷媒が、圧縮機３に吸入されて圧縮された後、四路切換弁７を経由して室内熱交換器５に供給される。そして、そのガス冷媒は、室内熱交換器５において室内空気を加熱するとともに凝縮されて液冷媒となる。この液冷媒は、第１接合点ＤＣ１に至る。第１接合点ＤＣ１側に至った液冷媒は、第４接合点ＨＣ２を経由して蓄熱熱交換器８に至る。蓄熱熱交換器８に至った液冷媒は、蓄熱熱交換器８において蓄熱材９に蓄えられている温熱を供給されることによって、その液冷媒が蒸発されてガス冷媒となる。このガス冷媒は、第７接合点ＢＣ１および第２接合点ＤＣ２を経由して室外熱交換器４に送られ、室外熱交換器４の外表面に付着している霜を融解する。そして、このガス冷媒は、四路切換弁７、第８接合点ＢＣ２およびアキュムレータ１１を経由して、再び、圧縮機３に吸入される。
【０２０４】
また、このデフロスト運転は、室外熱交換器４の外表面の温度や外気温などのパラメータに基づいて暖房運転から自動的に切り替わる。また、このデフロスト運転は、所定時間（例えば１０分間）継続して行われる。
【０２０５】
＜特徴＞
（１）
上記実施形態では、蓄熱材９が充填されており、圧縮機３および蓄熱熱交換器８が収容されている蓄熱槽１０を備える空気調和装置３００において、圧縮機３から吐出される冷媒が蓄熱材９と熱交換可能な位置に導かれるように蓄熱配管９０が備えられている。このため、圧縮機３から吐出される冷媒と蓄熱材９との間で熱交換が行われることによって、蓄熱材９には、圧縮機３から周囲へ放散される放散熱が蓄えられるとともに、圧縮機３から吐出される冷媒の熱が蓄えられる。したがって、蓄熱材９において、室外熱交換器４のデフロストに必要な熱量を獲得することができる。
【０２０６】
（２）
上記実施形態では、空気調和装置３００は、室内熱交換器５から流出した冷媒を蓄熱熱交換器８に導く第１デフロスト配管３０と、蓄熱熱交換器８から流出した冷媒を室外熱交換器４に導く第２デフロスト配管３１とを備えている。このため、室内熱交換器５から流出した冷媒は、蓄熱熱交換器８において蓄熱材９と熱交換を行った後、室外熱交換器４に導かれる。したがって、室外熱交換器４のデフロストを行うことができる。
【０２０７】
（３）
上記実施形態では、第１蓄熱配管３２は、圧縮機３の吐出側に配置されている吐出ガス配管２０ｃから分岐し、第１デフロスト配管３０に接続されている。このため、圧縮機３から吐出される冷媒を蓄熱熱交換器８に導くことができる。したがって、蓄熱熱交換器８を流れる冷媒と蓄熱材９との間で熱交換を行うことができる。また、吐出ガス配管２０ｃとは別に、圧縮機３の吐出側から蓄熱熱交換器８に冷媒を導く配管を設けた場合よりも、部品点数およびコストを削減することができる。
【０２０８】
（４）
上記実施形態では、空気調和装置３００は、蓄熱熱交換器８から流出した冷媒を圧縮機３の吸入側に導く第３蓄熱配管３４を備えている。また、第３蓄熱配管３４には、キャピラリチューブ３４ａが接続されている。このため、蓄熱熱交換器８から流出した冷媒を減圧し、圧縮機の吸入側に導くことができる。したがって、圧縮機３の負担を軽減させることができる。
【０２０９】
〔変形例〕
（Ａ）
本発明の第３実施形態では、第１デフロスト部分配管３０ａには、第１デフロスト配管３０を流れる冷媒の流れを制御するために、第１電磁弁ＳＶ１が設けられている。しかし、電磁弁の代わりに電動弁が適用されてもよい。電磁弁の代わりに電動弁を用いると、第１デフロスト配管３０を通過する冷媒の流量を調節することができる。このため、蓄熱熱交換器８を流れる冷媒の流量が調節され、蓄熱材９と熱交換を行う冷媒の流量を調節することができる。したがって、蓄熱材からの熱の供給量を調節することができる。
【０２１０】
（Ｂ）
本発明の第３実施形態では、第１蓄熱配管３２には、圧縮機３から吐出される冷媒が蓄熱配管９０を通過して蓄熱熱交換器８に導かれるように、第３電磁弁ＳＶ３が設けられている。しかし、電磁弁の代わりに電動弁が適用されてもよい。電磁弁の代わりに電動弁を用いると、蓄熱熱交換器８に導かれる冷媒の流量を調節することができる。このため、蓄熱材９と熱交換が行われる冷媒の流量を調節することができる。したがって、蓄熱材９への蓄熱量を調節することができる。
【０２１１】
＜第４実施形態＞
〔空気調和装置の構成〕
本発明の第４実施形態に係る空気調和装置４００の概略冷媒回路を図８に示す。
【０２１２】
この空気調和装置４００は、冷房運転および暖房運転のみならずデフロスト運転も可能な空気調和装置であって、主冷媒回路１２０、第１デフロスト配管３０および第２デフロスト配管３１を有する冷媒回路を備えている。第１デフロスト配管３０および第２デフロスト配管３１はデフロスト運転時に冷媒が流れる配管である。
【０２１３】
主冷媒回路１２０には、圧縮機３、四路切換弁７、室内熱交換器５、電磁膨張弁ＥＶ１、室外熱交換器４およびアキュムレータ１１が配備されており、各機器は、図８に示されるように、冷媒配管を介して接続されている。また、主冷媒回路２０は、圧縮機３の吐出側と四路切換弁７とを配管接続する吐出ガス配管１２１と、四路切換弁７と室内熱交換器５とを配管接続する第１冷媒ガス配管２１ａ、第１冷媒連絡配管２１ｂおよび第２冷媒ガス配管２１ｃと、室内熱交換器５と電磁膨張弁ＥＶ１とを配管接続する第１冷媒液配管２２ａ、第２冷媒連絡配管２２ｂおよび第２冷媒液配管２２ｃと、電磁膨張弁ＥＶ１と室外熱交換器４とを配管接続する第３冷媒液配管２３と、室外熱交換器４と四路切換弁７とを配管接続する第３冷媒ガス配管２４と、四路切換弁７とアキュムレータ１１とを配管接続する第４冷媒ガス配管２５と、アキュムレータ１１と圧縮機３の吸入側とを配管接続する吸入ガス配管２６とから構成されている。なお、吐出ガス配管１２１は、第１吐出ガス配管１２１ａ、第２吐出ガス配管１２１ｂおよび第３吐出ガス配管１２１ｃから構成されている。第１吐出ガス配管１２１ａは、一端が圧縮機３の吐出側に他端が第２吐出ガス配管１２１ｂに配管接続されている。第２吐出ガス配管１２１ｂは、一端が第１吐出ガス配管１２１ａに他端が第３吐出ガス配管１２１ｃに配管接続されている。第３吐出ガス配管１２１ｃは、一端が第２吐出ガス配管１２１ｂに他端が四路切換弁７に配管接続されている。さらに、第２吐出ガス配管１２１ｂは、圧縮機３のケーシング外周の下部に巻装されている。
【０２１４】
第１デフロスト配管３０は、一端が第２冷媒液配管２２ｃに、他端が蓄熱熱交換器８に配管接続されている。また、第２デフロスト配管３１は、一端が蓄熱熱交換器８に、他端が第３冷媒液配管２３に配管接続されている。このように、第１デフロスト配管３０と第２デフロスト配管３１とは主冷媒回路１２０と接続されている。なお、以下、第１デフロスト配管３０と第２冷媒液配管２２ｃとの接合点を第１接合点ＤＣ１といい、第２デフロスト配管３１と第３冷媒液配管２３との接合点を第２接合点ＤＣ２という。そして、第１デフロスト配管３０には、第１電磁弁ＳＶ１と第１逆止弁４１とが配備されている。また、第２デフロスト配管３１には、第２逆止弁４２が配備されている。
【０２１５】
さらに、本実施形態では、空気調和装置４００は、分離型の空気調和装置であって、室内ユニット２と、室外ユニット１とから構成されている。
【０２１６】
室内ユニット２は、室内熱交換器５、第２冷媒ガス配管２１ｃ、第１冷媒液配管２２ａを主に有する。
【０２１７】
室外ユニット１は、圧縮機３、四路切換弁７、電磁膨張弁ＥＶ１、アキュムレータ１１、第１吐出ガス配管１２１ａ、第２吐出ガス配管１２１ｂ、第３吐出ガス配管１２１ｃ、第１冷媒ガス配管２１ａ、第２冷媒液配管２２ｃ、第３冷媒液配管２３、第３冷媒ガス配管２４、第４冷媒ガス配管２５、吸入ガス配管２６、蓄熱熱交換器８、蓄熱材９、第１デフロスト配管３０、第１電磁弁ＳＶ１、第１逆止弁４１、第２デフロスト配管３１および第２逆止弁４２を主に有する。
【０２１８】
また、室内ユニット２と室外ユニット１とは、第１冷媒連絡配管２１ｂおよび第２冷媒連絡配管２２ｂによって配管接続されている。第１冷媒連絡配管２１ｂは、室内ユニット２の第２冷媒ガス配管２１ｃと室外ユニット１の第１冷媒ガス配管２１ａとを配管接続する。第２冷媒連絡配管２２ｂは、室内ユニット２の第１冷媒液配管２２ａと室外ユニット１の第２冷媒液配管２２ｃとを配管接続する。なお、室外ユニット１の第１冷媒ガス配管２１ａと第１冷媒連絡配管２１ｂとは室外ユニット１のガス側閉鎖弁１２を介して、室外ユニット１の第２冷媒液配管２２ｃと第２冷媒連絡配管２２ｂとは室外ユニット１の液側閉鎖弁１３を介してそれぞれ接続されている。また、ガス側閉鎖弁１２および液側閉鎖弁１３は、これら配管を接続した後から開状態とされる。
【０２１９】
なお、このように本実施形態に係る空気調和装置４００をユニット単位で見た場合、第１接合点ＤＣ１、第２接合点ＤＣ２は室外ユニット１に属する。
【０２２０】
（１）室内ユニット
室内ユニット２は、上記の構成要素以外に図示しない室内ファンを有している。
【０２２１】
室内熱交換器５は、室内の空気と冷媒との間で熱交換をさせる。
【０２２２】
室内ファンは、室内ユニット２内に室内の空気を取り込み、室内熱交換器５を介して冷媒と熱交換した後の空気である調和空気を再び室内へ送り出すためのファンである。
【０２２３】
そして、この室内ユニット２は、このような構成を採用することによって、冷房運転時には室内ファンにより取り込んだ室内空気と室内熱交換器５を流れる液冷媒とを熱交換させて調和空気（冷気）を生成することが可能となっている。また、暖房運転時およびデフロスト運転時には室内ファンにより内部に取り込んだ室内空気と室内熱交換器５を流れるガス冷媒とを熱交換させて調和空気（暖気）を生成することが可能となっている。
【０２２４】
（２）室外ユニット
室外ユニット１は、上記の構成要素以外に蓄熱材９と蓄熱槽１０とを有している。
【０２２５】
圧縮機３は、吸入ガス配管２６を流れる低圧のガス冷媒を吸入して圧縮した後、第１吐出ガス配管１２１ａに吐出する。
【０２２６】
四路切換弁７は、各運転に対応して、冷媒の流れる方向を切り換えるための弁であり、冷房運転時には、圧縮機３の吐出側と室外熱交換器４のガス側とを接続するとともに、圧縮機３の吸入側と室内熱交換器５のガス側とを接続する。また、暖房運転時およびデフロスト運転時には、四路切換弁７は、圧縮機３の吐出側と室内熱交換器５のガス側とを接続するとともに、圧縮機３の吸入側と室外熱交換器４のガス側とを接続する。
【０２２７】
室外熱交換器４は、冷房運転時において、圧縮機３から吐出される高圧のガス冷媒を室外の空気を熱源として凝縮させることが可能であり、暖房運転時には、室内熱交換器５から戻る液冷媒を蒸発させることが可能である。
【０２２８】
アキュムレータ１１は、第４冷媒ガス配管２５を流れる冷媒が気液二相状態の冷媒の場合、液冷媒とガス冷媒とに分離し、ガス冷媒のみを圧縮機３の吸入側に送る。
【０２２９】
蓄熱槽１０には、蓄熱材９が充填されており、圧縮機３、蓄熱熱交換器８および第２吐出ガス配管１２１ｂが収容されている。
【０２３０】
蓄熱材９は、運転中に高温状態となる圧縮機３から周囲への放散熱や、圧縮機３から吐出され第２吐出ガス配管１２１ｂ内を流れる冷媒の温熱を蓄える。また、蓄熱材９としては、例えば、ポリエチレングリコール、トレイトール、パラフィン、酢酸ナトリウム３水和物、硫酸ナトリウム１０水和物等が挙げられる。
【０２３１】
蓄熱熱交換器８は、圧縮機３のケーシング外周の上部に巻装されており、内部を流れる冷媒と蓄熱槽１０に充填されている蓄熱材９との間で熱交換をさせる。
【０２３２】
第１デフロスト配管３０は、開閉可能な第１電磁弁ＳＶ１と第１逆止弁４１とを有している。第１デフロスト配管３０において、第１電磁弁ＳＶ１と第１逆止弁４１とは冷媒の流れに対して直列に配置されている。そして、第１電磁弁ＳＶ１は第１接合点ＤＣ１側に、第１逆止弁４１は、蓄熱熱交換器８側に配置される。また、第１逆止弁４１は、第１接合点ＤＣ１から蓄熱熱交換器8に向かう冷媒の流れのみを許容するように取り付けられている。
【０２３３】
第２デフロスト配管３１は、第２逆止弁４２を有している。第２逆止弁４２は、蓄熱熱交換器８から第２接合点ＤＣ２への冷媒の流れのみを許容するように取り付けられている。
【０２３４】
室外ユニット１は、このような構成を採用することによって、空気調和装置４００の運転時において、ガス冷媒の温熱を蓄熱材９に蓄え、デフロスト運転時には、蓄熱熱交換器８を流れる液冷媒に蓄熱材９に蓄えられている温熱を供給することによってその液冷媒を蒸発させることが可能となっている。なお、この蓄熱材９は、融点がおよそ３０℃から４０℃であり、潜熱として温熱を蓄えることが可能となっている。
【０２３５】
（３）制御部
空気調和装置４００が備える制御部７０ｃを図９に示す。制御部７０ｃは、電磁膨張弁ＥＶ１、第１電磁弁ＳＶ１、四路切換弁７等の構成部品を制御する。
【０２３６】
〔空気調和装置の動作〕
空気調和装置４００の運転動作について、図８、図１０を用いて説明する。この空気調和装置４００は、上述したように冷房運転、暖房運転およびデフロスト運転を行うことが可能である。
【０２３７】
（１）冷房運転
冷房運転時は、四路切換弁７が図８の破線で示される状態、即ち、圧縮機３の吐出側が室外熱交換器４のガス側に接続され、かつ、圧縮機３の吸入側が室内熱交換器５のガス側に接続された状態となる。また、第１電磁弁ＳＶ１はＯＦＦされて閉状態とされる。
【０２３８】
この冷媒回路の状態で、圧縮機３を起動すると、ガス冷媒が、圧縮機３に吸入されて圧縮された後、吐出ガス配管１２１内を流れる際に第２吐出ガス配管１２１ｂにおいて蓄熱材９と熱交換を行い、四路切換弁７を経由して室外熱交換器４に送られ、室外熱交換器４において凝縮されて液冷媒となる。
【０２３９】
そして、この液冷媒は電磁膨張弁ＥＶ１に送られる。電磁膨張弁ＥＶ１に送られた液冷媒は、減圧された後に、室内熱交換器５に供給され、室内空気を冷却するとともに蒸発されてガス冷媒となる。
【０２４０】
そして、そのガス冷媒は、四路切換弁７、アキュムレータ１１を経由して、再び、圧縮機３に吸入される。このようにして、冷房運転が行われる。
【０２４１】
（２）暖房運転
暖房運転時は、四路切換弁７が図８の実線で示される状態、即ち、圧縮機３の吐出側が室内熱交換器５のガス側に接続され、かつ、圧縮機３の吸入側が室外熱交換器４のガス側に接続された状態となっている。また、第１電磁弁ＳＶ１はＯＦＦされて閉状態とされる。
【０２４２】
この冷媒回路の状態で、圧縮機３を起動すると、ガス冷媒が、圧縮機３に吸入されて圧縮された後、吐出ガス配管１２１内を流れる際に第２吐出ガス配管１２１ｂにおいて蓄熱材９と熱交換を行い、四路切換弁７を経由して、室内熱交換器５に供給される。
【０２４３】
そして、このガス冷媒は、室内熱交換器５において室内空気を加熱するとともに凝縮されて液冷媒となる。この液冷媒は電磁膨張弁ＥＶ１に送られて、減圧された後に室外熱交換器４に送られる。減圧された液冷媒は、室外熱交換器４において蒸発されてガス冷媒となる。このガス冷媒は、四路切換弁７、アキュムレータ１１を経由して、再び、圧縮機３に吸入される。このようにして、暖房運転が行われる。
【０２４４】
（３）デフロスト運転
デフロスト運転は、室外熱交換器４の外表面に付着した霜を融解するための運転であり、蓄熱材９に蓄えられた熱量を利用して行われる。
【０２４５】
デフロスト運転時は、四路切換弁７が図８の実線で示される状態、即ち、圧縮機３の吐出側が室内熱交換器５のガス側に接続され、かつ、圧縮機３の吸入側が室外熱交換器４のガス側に接続された状態となっている。また、電磁膨張弁ＥＶ１は全閉状態とされる。さらに、第１電磁弁ＳＶ１はＯＮされて開状態とされる。
【０２４６】
この冷媒回路の状態では、ガス冷媒が、圧縮機３に吸入されて圧縮された後、吐出ガス配管１２１内を流れる際に第２吐出ガス配管１２１ｂにおいて蓄熱材９と熱交換を行い、四路切換弁７を経由して室内熱交換器５に供給される。
【０２４７】
そして、このガス冷媒は、室内熱交換器５において室内空気を加熱するとともに凝縮されて液冷媒となる。この液冷媒は、第１接合点ＤＣ１を経由して蓄熱熱交換器８に至る。蓄熱熱交換器８に至った液冷媒は、蓄熱熱交換器８において蓄熱材９に蓄えられている温熱を供給されることによって、その液冷媒が蒸発されてガス冷媒となる。このガス冷媒は、第２接合点ＤＣ２を経由して室外熱交換器４に送られ、室外熱交換器４の外表面に付着している霜を融解する。そして、このガス冷媒は、四路切換弁７、アキュムレータ１１を経由して、再び、圧縮機３に吸入される。
【０２４８】
また、このデフロスト運転は、室外熱交換器４の外表面の温度や外気温などのパラメータに基づいて暖房運転から自動的に切り替わる。また、このデフロスト運転は、所定時間（例えば１０分間）継続して行われる。
【０２４９】
＜特徴＞
（１）
上記実施形態では、空気調和装置４００は、第１吐出ガス配管１２１ａ、第２吐出ガス配管１２１ｂおよび第３吐出ガス配管１２１ｃから構成される吐出ガス配管１２１を備えている。第１吐出ガス配管１２１ａは圧縮機３の吐出側から蓄熱材９の近傍まで延びている。第２吐出ガス配管１２１ｂは蓄熱材９と接触する。第３吐出ガス配管１２１ｃは蓄熱材９の近傍から四路切換弁７まで延びている。このため、圧縮機３から吐出される冷媒と蓄熱材９との間で熱交換が行われることによって、蓄熱材９には、圧縮機３から周囲へ放散される放散熱が蓄えられるとともに、圧縮機３から吐出される冷媒の熱が蓄えられる。したがって、蓄熱材９において、室外熱交換器４のデフロストに必要な熱量を獲得することができる。
【０２５０】
（２）
上記実施形態では、空気調和装置４００は、室内熱交換器５から流出した冷媒を蓄熱熱交換器８に導く第１デフロスト配管３０と、蓄熱熱交換器８から流出した冷媒を室外熱交換器４に導く第２デフロスト配管３１とを備えている。このため、室内熱交換器５から流出した冷媒は、蓄熱熱交換器８において蓄熱材９と熱交換を行った後、室外熱交換器４に導かれる。したがって、室外熱交換器４のデフロストを行うことができる。
【０２５１】
〔変形例〕
本発明の第４実施形態では、第１デフロスト配管３０には、第１デフロスト配管３０を流れる冷媒の流れを制御するために、第１電磁弁ＳＶ１が設けられている。しかし、電磁弁の代わりに電動弁が適用されてもよい。電磁弁の代わりに電動弁を用いると、第１デフロスト配管３０を通過する冷媒の流量を調節することができる。このため、蓄熱熱交換器８を流れる冷媒の流量が調節され、蓄熱材９と熱交換を行う冷媒の流量を調節することができる。したがって、蓄熱材からの熱の供給量を調節することができる。
【産業上の利用可能性】
【０２５２】
本発明に係る空気調和装置は、蓄熱材が近傍に配置されている圧縮機において、圧縮機由来の熱を効率よく蓄熱材に蓄えることが可能な冷媒回路を備えており、冬季などにおいて気温が低くなる寒冷地向けの空気調和装置として有用である。
【図面の簡単な説明】
【０２５３】
【図１】本発明の第１実施形態に係る空気調和装置の概略冷媒回路。
【図２】本発明の第１実施形態に係る空気調和装置の制御ブロック図。
【図３】本発明の第１実施形態に係る空気調和装置の各運転時における電磁膨張弁および電磁弁の状態を示す表。
【図４】本発明の第２実施形態に係る空気調和装置の概略冷媒回路。
【図５】本発明の第２実施形態および第３実施形態に係る空気調和装置の制御ブロック図。
【図６】本発明の第２実施形態および第３実施形態に係る空気調和装置の各運転時における電磁膨張弁および電磁弁の状態を示す表。
【図７】本発明の第３実施形態に係る空気調和装置の概略冷媒回路図。
【図８】本発明の第４実施形態に係る空気調和装置の概略冷媒回路図。
【図９】本発明の第４実施形態に係る空気調和装置の制御ブロック図。
【図１０】本発明の第４実施形態に係る空気調和装置の各運転時における電磁膨張弁および電磁弁の状態を示す表。
【符号の説明】
【０２５４】
３      圧縮機
４      室外熱交換器（熱源側熱交換器）
５      室内熱交換器（利用側熱交換器）
８      蓄熱熱交換器
９      蓄熱材
３０      第１デフロスト配管（第１配管）
３１      第２デフロスト配管（第２配管）
３３      第２蓄熱配管（第３配管）
３４      第３蓄熱配管（第４配管）
３４ａ      キャピラリチューブ（減圧機構）
７０ａ，７０ｂ，７０ｃ    制御部
９０      蓄熱配管
１００，２００，３００，４００    空気調和装置
１２１      吐出ガス配管（蓄熱配管）
ＥＶ１      電磁膨張弁（膨張機構）
ＳＶ１      第１電磁弁（第１配管流量調節機構）
ＳＶ２      第２電磁弁（第２配管流量調節機構）
ＳＶ３      第３電磁弁（蓄熱配管流量調節機構）
【図１】
2008241127.tif 000003
【図２】
2008241127.tif 000004
【図３】
2008241127.tif 000005
【図４】
2008241127.tif 000006
【図５】
2008241127.tif 000007
【図６】
2008241127.tif 000008
【図７】
2008241127.tif 000009
【図８】
2008241127.tif 000010
【図９】
2008241127.tif 000011
【図１０】
2008241127.tif 000012